【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
メモリに対するリフレッシュを主電源またはバックアップ電源の供給を受けて制御するメモリバックアップ制御装置であって、
前記主電源の電源電圧の低下を検知して電源電圧低下検知信号を出力する電源電圧低下検知手段と、
前記電源電圧低下検知信号に基づいてセルフリフレッシュ開始要求信号を出力するセルフリフレッシュ開始要求手段と、
前記セルフリフレッシュ開始要求信号に基づいてシステムクロックに同期するクロックイネーブル信号を出力するクロックイネーブル信号出力手段と、
前記メモリヘの制御信号の状態の組み合わせによるコマンド信号を前記メモリに出力するコマンド信号出力手段と、
前記クロックイネーブル信号と前記コマンド信号とに基づいて前記メモリのセルフリフレッシュを起動する起動手段と、
を有することを特徴とするメモリバックアップ制御装置。
【請求項２】
前記電源電圧低下検知信号に基づいてリセット信号を出力するリセット信号出力手段と、
前記セルフリフレッシュの起動完了後、前記クロックイネーブル信号をマスクするクロックイネーブルマスク信号を出力するクロックイネーブルマスク信号出力手段と、
前記バックアップ電源の電圧と基準電圧とを比較してバックアップ電源電圧検出信号を出力する比較出力手段と、
前記リセット信号と前記クロックイネーブルマスク信号との論理条件に基づいて前記クロックイネーブル信号と前記バックアップ電源電圧検出信号とを切り替える第１の切替手段と、
を有することを特徴とする請求項１記載のメモリバックアップ制御装置。
【請求項３】
前記主電源の電圧復帰状態を検出して前記電源電圧低下検知信号を解除する電源電圧低下検知信号解除手段と、
前記電源電圧低下検知信号の解除に従い、前記リセット信号を解除するリセット信号解除手段と、
前記リセット信号の解除後に、前記セルフリフレッシュ開始要求信号を出力する第２のセルフリフレッシュ開始要求手段と、
前記第２のセルフリフレッシュ開始要求手段から出力される前記セルフリフレッシュ開始要求信号に従い、前記バックアップ電源電圧検出信号を前記クロックイネーブル信号に切り替える第２の切替手段と、
前記セルフリフレッシュ開始要求信号出力から一定時間後に、セルフリフレッシュ解除要求信号を出力するセルフリフレッシュ解除要求手段と、
を有することを特徴とする請求項２記載のメモリバックアップ制御装置。
【請求項４】
メモリに対するリフレッシュを主電源またはバックアップ電源の供給を受けて制御するメモリバックアップ制御方法であって、
前記主電源の電源電圧の低下を検出して電源電圧低下検知信号を出力する電源電圧低下検知工程と、
前記電源電圧低下検知信号に基づいてセルフリフレッシュ開始要求信号を出力するセルフリフレッシュ開始要求工程と、
前記セルフリフレッシュ開始要求信号に基づいてシステムクロックに同期するクロックイネーブル信号を出力するクロックイネーブル信号出力工程と、
前記メモリヘの制御信号の状態の組み合わせによるコマンド信号を前記メモリに出力するコマンド信号出力工程と、
前記クロックイネーブル信号と前記コマンド信号とに基づいて前記メモリのセルフリフレッシュを起動する起動工程とを有することを特徴とするメモリバックアップ制御方法。
【請求項５】
前記電源電圧低下検知信号に基づいてリセット信号を出力するリセット信号出力工程と、
前記クロックイネーブル信号による前記メモリの初期設定動作終了に基づいて当該クロックイネーブル信号をマスクするクロックイネーブルマスク信号を出力するクロックイネーブルマスク信号出力工程と、
前記バックアップ電源の電圧と基準電圧とを比較してバックアップ電源電圧検出信号を出力する比較出力工程と、
前記リセット信号出力工程から出力されるリセット信号と前記クロックイネーブルマスク信号との論理条件に基づいて前記クロックイネーブル信号と前記バックアップ電源電圧検出信号とを切り替える第１の切替工程と、
を有することを特徴とする請求項４記載のメモリバックアップ制御方法。
【請求項６】
前記主電源の電圧復帰状態を検出して前記電源電圧低下検知信号を解除する電源電圧低下検知信号解除工程と、
前記信号解除工程による電源電圧低下検知信号の解除に従い、前記リセット信号を解除するリセット信号解除工程と、
前記リセット信号の解除後に、前記セルフリフレッシュ開始要求信号を出力する第２のセルフリフレッシュ開始要求工程と、
前記第２のセルフリフレッシュ開始要求工程により出力される前記セルフリフレッシュ開始要求信号に従い、前記バックアップ電源電圧検出信号を前記クロックイネーブル信号に切り替える第２の切替工程と、
前記セルフリフレッシュ開始要求信号出力から一定時間後に、セルフリフレッシュ解除要求信号を出力するセルフリフレッシュ解除要求工程と、
を有することを特徴とする請求項５記載のメモリバックアップ制御方法。
【請求項７】
低消費電力モードであるか否かを判別するモード判別手段と、
前記モード判別手段により低消費電力モードであると判別された場合に、前記セルフリフレッシュ開始要求信号の出力を抑止し、前記セルフリフレッシュを起動せずに前記クロックイネーブルマスク信号を出力するリフレッシュ制御手段と、
を有することを特徴とする請求項１記載のメモリバックアップ制御装置。
【請求項８】
低消費電力モードであるか否かを判別するモード判別工程と、
前記モード判別工程により低消費電力モードであると判別された場合に、前記セルフリフレッシュ開始要求信号の出力を抑止し、前記セルフリフレッシュを起動せずに前記クロックイネーブルマスク信号を出力するリフレッシュ制御工程と、
を有することを特徴とする請求項４記載のメモリバックアップ制御方法。
【手続補正２】
【補正対象書類名】明細書
【補正対象項目名】０００９
【補正方法】変更
【補正の内容】
【０００９】
【課題を解決するための手段】
本発明に係る第１の発明は、メモリに対するリフレッシュを主電源またはバックアップ電源の供給を受けて制御するメモリバックアップ制御装置であって、前記主電源の電源電圧の低下を検知して電源電圧低下検知信号を出力する電源電圧低下検知手段と、前記電源電圧低下検知信号に基づいてセルフリフレッシュ開始要求信号を出力するセルフリフレッシュ開始要求手段と、前記セルフリフレッシュ開始要求信号に基づいてシステムクロックに同期するクロックイネーブル信号を出力するクロックイネーブル信号出力手段と、前記メモリヘの制御信号の状態の組み合わせによるコマンド信号を前記メモリに出力するコマンド信号出力手段と、前記クロックイネーブル信号と前記コマンド信号とに基づいて前記メモリのセルフリフレッシュを起動する起動手段とを有するものである。
【手続補正３】
【補正対象書類名】明細書
【補正対象項目名】００１０
【補正方法】変更
【補正の内容】
【００１０】
本発明に係る第２の発明は、前記電源電圧低下検知信号に基づいてリセット信号を出力するリセット信号出力手段と、前記セルフリフレッシュの起動完了後、前記クロックイネーブル信号をマスクするクロックイネーブルマスク信号を出力するクロックイネーブルマスク信号出力手段と、前記バックアップ電源の電圧と基準電圧とを比較してバックアップ電源電圧検出信号を出力する比較出力手段と、前記リセット信号と前記クロックイネーブルマスク信号との論理条件に基づいて前記クロックイネーブル信号と前記バックアップ電源電圧検出信号とを切り替える第１の切替手段とを有するものである。
【手続補正４】
【補正対象書類名】明細書
【補正対象項目名】００１１
【補正方法】変更
【補正の内容】
【００１１】
本発明に係る第３の発明は、前記主電源の電圧復帰状態を検出して前記電源電圧低下検知信号を解除する電源電圧低下検知信号解除手段と、前記電源電圧低下検知信号の解除に従い、前記リセット信号を解除するリセット信号解除手段と、前記リセット信号の解除後に、前記セルフリフレッシュ開始要求信号を出力する第２のセルフリフレッシュ開始要求手段と、前記第２のセルフリフレッシュ開始要求手段から出力される前記セルフリフレッシュ開始要求信号に従い、前記バックアップ電源電圧検出信号を前記クロックイネーブル信号に切り替える第２の切替手段と、前記セルフリフレッシュ開始要求信号出力から一定時間後に、セルフリフレッシュ解除要求信号を出力するセルフリフレッシュ解除要求手段とを有するものである。
【手続補正５】
【補正対象書類名】明細書
【補正対象項目名】００１２
【補正方法】変更
【補正の内容】
【００１２】
本発明に係る第４の発明は、メモリに対するリフレッシュを主電源またはバックアップ電源の供給を受けて制御するメモリバックアップ制御方法であって、前記主電源の電源電圧の低下を検出して電源電圧低下検知信号を出力する電源電圧低下検知工程と、前記電源電圧低下検知信号に基づいてセルフリフレッシュ開始要求信号を出力するセルフリフレッシュ開始要求工程と、前記セルフリフレッシュ開始要求信号に基づいてシステムクロックに同期するクロックイネーブル信号を出力するクロックイネーブル信号出力工程と、前記メモリヘの制御信号の状態の組み合わせによるコマンド信号を前記メモリに出力するコマンド信号出力工程と、前記クロックイネーブル信号と前記コマンド信号とに基づいて前記メモリのセルフリフレッシュを起動する起動工程とを有するものである。
【手続補正６】
【補正対象書類名】明細書
【補正対象項目名】００１３
【補正方法】変更
【補正の内容】
【００１３】
本発明に係る第５の発明は、  前記電源電圧低下検知信号に基づいてリセット信号を出力するリセット信号出力工程と、前記クロックイネーブル信号による前記メモリの初期設定動作終了に基づいて当該クロックイネーブル信号をマスクするクロックイネーブルマスク信号を出力するクロックイネーブルマスク信号出力工程と、前記バックアップ電源の電圧と基準電圧とを比較してバックアップ電源電圧検出信号を出力する比較出力工程と、前記リセット信号出力工程から出力されるリセット信号と前記クロックイネーブルマスク信号との論理条件に基づいて前記クロックイネーブル信号と前記バックアップ電源電圧検出信号とを切り替える第１の切替工程とを有するものである。
【手続補正７】
【補正対象書類名】明細書
【補正対象項目名】００１４
【補正方法】変更
【補正の内容】
【００１４】
本発明に係る第６の発明は、前記主電源の電圧復帰状態を検出して前記電源電圧低下検知信号を解除する電源電圧低下検知信号解除工程と、前記信号解除工程による電源電圧低下検知信号の解除に従い、前記リセット信号を解除するリセット信号解除工程と、前記リセット信号の解除後に、前記セルフリフレッシュ開始要求信号を出力する第２のセルフリフレッシュ開始要求工程と、前記第２のセルフリフレッシュ開始要求工程により出力される前記セルフリフレッシュ開始要求信号に従い、前記バックアップ電源電圧検出信号を前記クロックイネーブル信号に切り替える第２の切替工程と、前記セルフリフレッシュ開始要求信号出力から一定時間後に、セルフリフレッシュ解除要求信号を出力するセルフリフレッシュ解除要求工程とを有するものである。
【手続補正８】
【補正対象書類名】明細書
【補正対象項目名】００１５
【補正方法】変更
【補正の内容】
【００１５】
本発明に係る第７の発明は、低消費電力モードであるか否かを判別するモード判別手段と、前記モード判別手段により低消費電力モードであると判別された場合に、前記セルフリフレッシュ開始要求信号の出力を抑止し、前記セルフリフレッシュを起動せずに前記クロックイネーブルマスク信号を出力するリフレッシュ制御手段とを有するものである。
【手続補正９】
【補正対象書類名】明細書
【補正対象項目名】００１６
【補正方法】変更
【補正の内容】
【００１６】
本発明に係る第８の発明は、低消費電力モードであるか否かを判別するモード判別工程と、前記モード判別工程により低消費電力モードであると判別された場合に、前記セルフリフレッシュ開始要求信号の出力を抑止し、前記セルフリフレッシュを起動せずに前記クロックイネーブルマスク信号を出力するリフレッシュ制御工程とを有するものである。
【手続補正１０】
【補正対象書類名】明細書
【補正対象項目名】００７２
【補正方法】変更
【補正の内容】
【００７２】
【発明の効果】
以上説明したように、本発明に係る第１の発明によれば、メモリに対するリフレッシュを主電源またはバックアップ電源の供給を受けて制御するメモリバックアップ制御装置であって、前記主電源の電源電圧の低下を検知して電源電圧低下検知信号を出力する電源電圧低下検知手段と、前記電源電圧低下検知信号に基づいてセルフリフレッシュ開始要求信号を出力するセルフリフレッシュ開始要求手段と、前記セルフリフレッシュ開始要求信号に基づいてシステムクロックに同期するクロックイネーブル信号を出力するクロックイネーブル信号出力手段と、前記メモリヘの制御信号の状態の組み合わせによるコマンド信号を前記メモリに出力するコマンド信号出力手段と、前記クロックイネーブル信号と前記コマンド信号とに基づいて前記メモリのセルフリフレッシュを起動する起動手段とを有するので、従来のようにＲＡＳ、ＣＡＳ信号のＣＢＲタイミングをハードウエアまたはゲートアレイで生成する必要が無く、セルフリフレッシュ開始要求信号に応じてクロック同期のコマンド信号を入力するので、制御の簡素化と高速動作を実現することができる。
【手続補正１１】
【補正対象書類名】明細書
【補正対象項目名】００７３
【補正方法】変更
【補正の内容】
【００７３】
第２の発明によれば、前記電源電圧低下検知信号に基づいてリセット信号を出力するリセット信号出力手段と、前記セルフリフレッシュの起動完了後、前記クロックイネーブル信号をマスクするクロックイネーブルマスク信号を出力するクロックイネーブルマスク信号出力手段と、前記バックアップ電源の電圧と基準電圧とを比較してバックアップ電源電圧検出信号を出力する比較出力手段と、前記リセット信号と前記クロックイネーブルマスク信号との論理条件に基づいて前記クロックイネーブル信号と前記バックアップ電源電圧検出信号とを切り替える第１の切替手段とを有するので、速やかにバックアップ電源側に切り替え動作を行えるので、切り替え時の信頼性を向上することができる。
【手続補正１２】
【補正対象書類名】明細書
【補正対象項目名】００７４
【補正方法】変更
【補正の内容】
【００７４】
第３の発明によれば、前記主電源の電圧復帰状態を検出して前記電源電圧低下検知信号を解除する電源電圧低下検知信号解除手段と、前記電源電圧低下検知信号の解除に従い、前記リセット信号を解除するリセット信号解除手段と、前記リセット信号の解除後に、前記セルフリフレッシュ開始要求信号を出力する第２のセルフリフレッシュ開始要求手段と、前記第２のセルフリフレッシュ開始要求手段から出力される前記セルフリフレッシュ開始要求信号に従い、前記バックアップ電源電圧検出信号を前記クロックイネーブル信号に切り替える第２の切替手段と、前記セルフリフレッシュ開始要求信号出力から一定時間後に、セルフリフレッシュ解除要求信号を出力するセルフリフレッシュ解除要求手段とを有するので、処理の多様化を避けられ、電源通電時の復帰処理の信頼性を向上することができる。
【手続補正１３】
【補正対象書類名】明細書
【補正対象項目名】００７５
【補正方法】変更
【補正の内容】
【００７５】
第４の発明によれば、メモリに対するリフレッシュを主電源またはバックアップ電源の供給を受けて制御するメモリバックアップ制御方法であって、前記主電源の電源電圧の低下を検出して電源電圧低下検知信号を出力する電源電圧低下検知工程と、前記電源電圧低下検知信号に基づいてセルフリフレッシュ開始要求信号を出力するセルフリフレッシュ開始要求工程と、前記セルフリフレッシュ開始要求信号に基づいてシステムクロックに同期するクロックイネーブル信号を出力するクロックイネーブル信号出力工程と、前記メモリヘの制御信号の状態の組み合わせによるコマンド信号を前記メモリに出力するコマンド信号出力工程と、前記クロックイネーブル信号と前記コマンド信号とに基づいて前記メモリのセルフリフレッシュを起動する起動工程とを有するので、従来のようにＲＡＳ、ＣＡＳ信号のＣＢＲタイミングをハードウエアまたはゲートアレイで生成する必要が無く、セルフリフレッシュ開始要求信号に応じて、クロック同期のコマンド信号を入力するので、制御の簡素化と高速動作を実現することができる。
【手続補正１４】
【補正対象書類名】明細書
【補正対象項目名】００７６
【補正方法】変更
【補正の内容】
【００７６】
第５の発明によれば、前記電源電圧低下検知信号に基づいてリセット信号を出力するリセット信号出力工程と、前記クロックイネーブル信号による前記メモリの初期設定動作終了に基づいて当該クロックイネーブル信号をマスクするクロックイネーブルマスク信号を出力するクロックイネーブルマスク信号出力工程と、前記バックアップ電源の電圧と基準電圧とを比較してバックアップ電源電圧検出信号を出力する比較出力工程と、前記リセット信号出力工程から出力されるリセット信号と前記クロックイネーブルマスク信号との論理条件に基づいて前記クロックイネーブル信号と前記バックアップ電源電圧検出信号とを切り替える第１の切替工程とを有するので、速やかにバックアップ電源側に切り替え動作を行えるので、切り替え時の信頼性を向上することができる。
【手続補正１５】
【補正対象書類名】明細書
【補正対象項目名】００７７
【補正方法】変更
【補正の内容】
【００７７】
第６の発明によれば、前記主電源の電圧復帰状態を検出して前記電源電圧低下検知信号を解除する電源電圧低下検知信号解除工程と、前記信号解除工程による電源電圧低下検知信号の解除に従い、前記リセット信号を解除するリセット信号解除工程と、前記リセット信号の解除後に、前記セルフリフレッシュ開始要求信号を出力する第２のセルフリフレッシュ開始要求工程と、前記第２のセルフリフレッシュ開始要求工程により出力される前記セルフリフレッシュ開始要求信号に従い、前記バックアップ電源電圧検出信号を前記クロックイネーブル信号に切り替える第２の切替工程と、前記セルフリフレッシュ開始要求信号出力から一定時間後に、セルフリフレッシュ解除要求信号を出力するセルフリフレッシュ解除要求工程とを有するので、システム側のセルフリフレッシュ開始要求時、解除要求時に対する処理を各々統一することができるので、処理の多様化を避けられ、電源通電時の復帰処理の信頼性を向上することができる。
【手続補正１６】
【補正対象書類名】明細書
【補正対象項目名】００７８
【補正方法】変更
【補正の内容】
【００７８】
第７の発明によれば、低消費電力モードであるか否かを判別するモード判別手段と、前記モード判別手段により低消費電力モードであると判別された場合に、前記セルフリフレッシュ開始要求信号の出力を抑止し、前記セルフリフレッシュを起動せずに前記クロックイネーブルマスク信号を出力するリフレッシュ制御手段とを有するので、低消費電力モード時に、速やかにバックアップ動作に移行することができる。
【手続補正１７】
【補正対象書類名】明細書
【補正対象項目名】００７９
【補正方法】変更
【補正の内容】
【００７９】
第８の発明によれば、低消費電力モードであるか否かを判別するモード判別工程と、前記モード判別工程により低消費電力モードであると判別された場合に、前記セルフリフレッシュ開始要求信号の出力を抑止し、前記セルフリフレッシュを起動せずに前記クロックイネーブルマスク信号を出力するリフレッシュ制御工程とを有するので、低消費電力モード時に、速やかにバックアップ動作に移行することができる。
【手続補正１８】
【補正対象書類名】明細書
【補正対象項目名】００８０
【補正方法】削除
【補正の内容】